(57)【要約】  【課題】  映像を再生後にしか映像の解像度が分からないため、映像の矩形変換を再生前に設定すると、意図した矩形変換と異なる表示がされることがある。  【解決手段】  デジタルＴＶ受信装置において、指定された映像がＳＤ／ＨＤのどちらの設定でデコードされるかを判定する解像度選択手段２００７を有し、再生前に取得した映像の解像度に対して矩形変換の可否を再生前に確認することにより、意図した矩形変換と異なる表示が行われないようにする。【選択図】  図３
2006033253.tif 000002
【特許請求の範囲】
【請求項１】
デジタル放送を受信してＴＶに出力するデジタルＴＶミドルウェアと、デジタル放送番組に関連して前記デジタルＴＶミドルウェアと連動して動作し、番組映像に併せてグラフィック描画を表示するアプリケーションプログラムから構成されるデジタルＴＶ受信装置において、
前記デジタルＴＶミドルウェアは、受信したＴＳをデコードし、ＡＶ情報と番組情報をフィルタリングするＴＳデコード部と、
前記番組情報に含まれる番組の映像解像度を特定し、抽出する解像度特定手段と、
前記アプリケーションプログラムで特定した映像とグラフィックの表示位置情報により、前記映像を映像表示領域において表示可能か否かを判定する矩形変換判定部と、
前記アプリケーションプログラムで特定した映像表示位置情報と映像表示領域解像度と矩形変換情報により矩形変換して生成する出力映像と、グラフィック表示位置情報とグラフィック表示情報よりグラフィック出力画像を生成する出力画像生成部と、
前記出力映像と前記グラフィック出力画像を合成して出力する出力部から構成され、
前記アプリケーションプログラムは、前記解像度特定手段で特定した解像度と、解像度に対応した映像表示領域の表示位置と、グラフィック表示領域の表示位置を特定し、前記矩形変換判定部に通知する表示情報選択手段と、
前記矩形変換判定部からの矩形変換可否情報により、映像表示位置とグラフィック表示位置を決定する表示情報特定部と、
前記グラフィック表示位置とグラフィック表示情報を特定し、前記出力画像生成部に通知するグラフィック描画指示手段から構成されることを特徴とするデジタルＴＶ受信装置。
【請求項２】
前記デジタルＴＶミドルウェアはさらに前記矩形変換判定部に代わって、前記解像度情報が高解像度か、低解像度かを判定する解像度選択手段と、
前記判定結果、映像解像度が高解像度の場合、前記映像が高解像度表示領域で表示可能か否かを判定する高解像度矩形変換可否判定手段と、
前記判定結果、映像解像度が低解像度の場合、前記映像が低解像度表示領域で表示可能か否かを判定する低解像度矩形変換可否判定手段とから構成されることを特徴とする請求項１記載のデジタルＴＶ受信装置。
【請求項３】
デジタル放送を受信してＴＶに出力するデジタルＴＶ受信方法において、
受信したＴＳをデコードし、ＡＶ情報と番組情報をフィルタリングするＴＳデコードステップと、
前記番組情報に含まれる番組の映像解像度を特定し、抽出する解像度特定ステップと、
前記解像度特定ステップで特定した解像度と、解像度に対応した映像表示領域の表示位置と、グラフィック表示領域の表示位置を特定する表示情報選択ステップと、
前記映像とグラフィックの表示位置情報により、前記映像を映像表示領域において表示可能か否かを判定する矩形変換判定ステップと、
前記判定結果により、映像表示位置とグラフィック表示位置を決定する表示情報特定ステップと、
前記表示位置情報により、グラフィック表示位置とグラフィック表示情報を特定するグラフィック描画指示ステップと、
前記映像表示位置情報と映像表示領域解像度と矩形変換情報により、前記映像を矩形変換して生成する出力映像と、グラフィック表示位置情報とグラフィック表示情報よりグラフィック出力画像を生成する出力画像生成ステップと、
前記出力映像と前記グラフィック出力画像を合成して出力する出力ステップから構成されることを特徴とするデジタルＴＶ受信方法。
【請求項４】
デジタル放送を受信してＴＶに出力するデジタルＴＶ受信装置で実行するプログラムにおいて、
受信したＴＳをデコードし、ＡＶ情報と番組情報をフィルタリングするＴＳデコードステップと、
前記番組情報に含まれる番組の映像解像度を特定し、抽出する解像度特定ステップと、
前記解像度特定ステップで特定した解像度と、解像度に対応した映像表示領域の表示位置と、グラフィック表示領域の表示位置を特定する表示情報選択ステップと、
前記映像とグラフィックの表示位置情報により、前記映像を映像表示領域において表示可能か否かを判定する矩形変換判定ステップと、
前記判定結果により、映像表示位置とグラフィック表示位置を決定する表示情報特定ステップと、
前記表示位置情報により、グラフィック表示位置とグラフィック表示情報を特定するグラフィック描画指示ステップと、
前記映像表示位置情報と映像表示領域解像度と矩形変換情報により、前記映像を矩形変換して生成する出力映像と、グラフィック表示位置情報とグラフィック表示情報よりグラフィック出力画像を生成する出力画像生成ステップと、
前記出力映像と前記グラフィック出力画像を合成して出力する出力ステップから構成されることを特徴とするデジタルＴＶ受信プログラム。
【発明の詳細な説明】
【技術分野】
【０００１】
本発明は、映像の解像度の異なる番組が混在するＴＶ放送を受信するデジタルＴＶ受信装置に関する。
【背景技術】
【０００２】
テレビ放送がデジタル化されることにより、通常の映像と音声に加えて、アプリ等のプログラムを放送することが可能となった。
このようなアプリケーションは放送を受信した受信装置上で実行することができ、視聴している番組の情報を表示したり、電子番組表（ＥＰＧ）を表示することなどが出来る。このとき、アプリケーションが画面上でのメニューや再生中の映像などの配置を自由に設定することによって、アプリケーション毎に自由なユーザーインターフェースによってサービスを提供することが出来る。
【０００３】
また、テレビ放送の高画質化によって、高解像度（以下ＨＤ）の映像の番組を放送することが可能となった。しかし、ＨＤの映像はデータ量も多く、番組の作成にも大きな負担がかかるため、従来からの低解像度（以下ＳＤ）の映像の番組と高解像度の映像の番組が混在して放送が行われている。
しかしながら、ＨＤとＳＤの再生の切り替えを行う際にはデコーダ内での復号処理のモード切替のための遅延が生じることが特許文献１にも示されている。
【０００４】
図２０に示すように、従来のデジタルＴＶ受信機ではアプリケーションが、放送されたストリーム１１０１の一部分を切り出し領域１１０２として指定し、ＴＶ画面１１０４の一部分を投影領域１１０３として指定することにより、放送されたストリーム１１０１の切り出し領域１１０２で指定した部分をＴＶ画面１１０４の投影領域１１０３に拡大、又は縮小して表示することができる。これによって、アプリケーションごとに自由な画面表示を行うことができる。
【０００５】
また、映像の解像度の異なる番組が混在するＴＶ放送の場合には再生を行っている映像の解像度によって、画面の解像度の設定を変更する場合がある。このとき、選択された映像を再生する前はこの映像を再生した後の画面の設定を知ることができないため、映像の表示位置を指定する場合には、画面の解像度の設定に依存することなく映像を表示する位置を指定する必要がある。このため、映像の表示位置を画面上の座標、又は、正規化座標によって指定する方式が日本国のＡＲＩＢ（ＢＭＬ）、欧州のＤＶＢ−ＭＨＰ，米国のＯＣＡＰ等で採用されている。
【特許文献１】特開２００２−１０２５２号公報
【発明の開示】
【発明が解決しようとする課題】
【０００６】
しかしながら、映像の解像度の情報はＭＰＥＧ２で圧縮された映像ストリーム内にあるため、映像を再生した後でなければアプリケーションは映像の解像度を知ることができなかった。このため、アプリケーションが映像の再生を行う際にその映像を再生することによって画面の設定がどのようになるかを再生前に知ることが出来ないため、画面上の座標で指定することが出来ない。このため、アプリケーションは映像の表示位置の指定を正規化座標によって行っていた。しかし、正規化座標を計算する際に意図した画面の解像度と実際に映像を再生した際の画面の解像度が異なった場合、映像の表示位置がずれるという課題を有していた。
【０００７】
例えば、図１のように映像ストリームの解像度が７２０＊４８０のとき、ビデオ表示領域（映像表示領域）の解像度は７２０＊４８０、グラフィック表示領域の解像度は７２０＊４８０であり、映像ストリームの解像度が１９２０＊１０８０のとき、ビデオ表示領域（映像表示領域）の解像度は１９２０＊１０８０、グラフィック表示領域の解像度は９６０＊５４０であるＴＶ受信機の場合、図２に示すようにアプリケーションが再生しようとする映像を低解像度のストリームと予測してビデオ１００３を左上の点１００７が（１００，１００）、右下の点１００８が（１９９、１９９）、グラフィック１００４を左上の点１００９が（２００，１００）、右下の点１０１０が（２９９，１９９）の位置に表示しようとした場合、ビデオの表示位置を正規化座標で表すため、低解像度のビデオ表示領域を基準としてビデオの左上の位置を（１００／７２０、１００／４８０）と計算し、他の点も同様に計算を行う。
【０００８】
このとき、実際に再生された映像１００５が高解像度であった場合、ビデオの左上の位置１０１１は（１００／７２０＊１９２０，１００／４８０＊１０８０）となり、他の点も同様に計算される。このとき、低解像度で表示を行った場合には隣り合っていた点（１９９，１００）と（２００，１００）は前記の計算後は（５３１，２２５）と（５３３，２２５）に変換され、図２に示すように隣り合って表示するビデオ１００５とグラフィック１００６の間に隙間が生じてしまう。
【０００９】
本発明は、前記従来の課題を解決するもので、映像の再生前にアプリケーションに解像度の情報を通知することによってアプリケーションが映像再生後の画面表示を正しく設定することを可能にすることを目的とする。
【課題を解決するための手段】
【００１０】
前記課題を解決するために、本発明の請求項１に係るデジタルＴＶ受信装置は、デジタル放送を受信してＴＶに出力するデジタルＴＶミドルウェアと、デジタル放送番組に関連して前記デジタルＴＶミドルウェアと連動して動作し、番組映像に併せてグラフィック描画を表示するアプリケーションプログラムから構成されるデジタルＴＶ受信装置において、前記デジタルＴＶミドルウェアは、受信したＴＳをデコードし、ＡＶ情報と番組情報をフィルタリングするＴＳデコード部と、前記番組情報に含まれる番組の映像解像度を特定し、抽出する解像度特定手段と、前記アプリケーションプログラムで特定した映像とグラフィックの表示位置情報により、前記映像を映像表示領域において表示可能か否かを判定する矩形変換判定部と、前記アプリケーションプログラムで特定した映像表示位置情報と映像表示領域解像度と矩形変換情報により矩形変換して生成する出力映像と、グラフィック表示位置情報とグラフィック表示情報よりグラフィック出力画像を生成する出力画像生成部と、前記出力映像と前記グラフィック出力画像を合成して出力する出力部から構成され、前記アプリケーションプログラムは、前記解像度特定手段で特定した解像度と、解像度に対応した映像表示領域の表示位置と、グラフィック表示領域の表示位置を特定し、前記矩形変換判定部に通知する表示情報選択手段と、前記矩形変換判定部からの矩形変換可否情報により、映像表示位置とグラフィック表示位置を決定する表示情報特定部と、前記グラフィック表示位置とグラフィック表示情報を特定し、前記出力画像生成部に通知するグラフィック描画指示手段から構成されることを特徴とする。
【００１１】
また、請求項２に係るデジタルＴＶ受信装置は、請求項１記載の発明において、前記デジタルＴＶミドルウェアはさらに前記矩形変換判定部に代わって、前記解像度情報が高解像度か、低解像度かを判定する解像度選択手段と、前記判定結果、映像解像度が高解像度の場合、前記映像が高解像度表示領域で表示可能か否かを判定する高解像度矩形変換可否判定手段と、前記判定結果、映像解像度が低解像度の場合、前記映像が低解像度表示領域で表示可能か否かを判定する低解像度矩形変換可否判定手段とから構成されることを特徴とする。
【００１２】
また、請求項３に係るデジタルＴＶ受信方法は、デジタル放送を受信してＴＶに出力するデジタルＴＶ受信方法において、受信したＴＳをデコードし、ＡＶ情報と番組情報をフィルタリングするＴＳデコードステップと、前記番組情報に含まれる番組の映像解像度を特定し、抽出する解像度特定ステップと、前記解像度特定ステップで特定した解像度と、解像度に対応した映像表示領域の表示位置と、グラフィック表示領域の表示位置を特定する表示情報選択ステップと、前記映像とグラフィックの表示位置情報により、前記映像を映像表示領域において表示可能か否かを判定する矩形変換判定ステップと、前記判定結果により、映像表示位置とグラフィック表示位置を決定する表示情報特定ステップと、前記表示位置情報により、グラフィック表示位置とグラフィック表示情報を特定するグラフィック描画指示ステップと、前記映像表示位置情報と映像表示領域解像度と矩形変換情報により、前記映像を矩形変換して生成する出力映像と、グラフィック表示位置情報とグラフィック表示情報よりグラフィック出力画像を生成する出力画像生成ステップと、前記出力映像と前記グラフィック出力画像を合成して出力する出力ステップから構成されることを特徴とする。
【００１３】
また、請求項４に係るデジタルＴＶ受信プログラムは、デジタル放送を受信してＴＶに出力するデジタルＴＶ受信装置で実行するプログラムにおいて、受信したＴＳをデコードし、ＡＶ情報と番組情報をフィルタリングするＴＳデコードステップと、前記番組情報に含まれる番組の映像解像度を特定し、抽出する解像度特定ステップと、前記解像度特定ステップで特定した解像度と、解像度に対応した映像表示領域の表示位置と、グラフィック表示領域の表示位置を特定する表示情報選択ステップと、前記映像とグラフィックの表示位置情報により、前記映像を映像表示領域において表示可能か否かを判定する矩形変換判定ステップと、前記判定結果により、映像表示位置とグラフィック表示位置を決定する表示情報特定ステップと、前記表示位置情報により、グラフィック表示位置とグラフィック表示情報を特定するグラフィック描画指示ステップと、前記映像表示位置情報と映像表示領域解像度と矩形変換情報により、前記映像を矩形変換して生成する出力映像と、グラフィック表示位置情報とグラフィック表示情報よりグラフィック出力画像を生成する出力画像生成ステップと、前記出力映像と前記グラフィック出力画像を合成して出力する出力ステップから構成されることを特徴とする。
【発明の効果】
【００１４】
本発明によれば、再生を行う前にアプリケーションに対して映像の解像度を通知し、その映像に対してアプリケーションが行おうとする矩形変換の可否を判定することによって、アプリケーションが映像を再生し、矩形変換を行った際の結果を再生前に知ることが出来るため、アプリケーションの意図したものと異なる表示結果になることを回避することができる。
【発明を実施するための最良の形態】
【００１５】
以下本発明の実施の形態について、図面を参照しながら説明する。
（実施の形態１）
図３は、本発明の実施の形態１におけるデジタルＴＶ受信装置の構成を示すブロック図である。
本発明の実施の形態１に係るデジタルＴＶ受信装置２００１はデジタルＴＶミドルウェア２００２と、アプリケーションプログラムであるＥＰＧアプリケーション２００３によって構成される。
【００１６】
デジタルＴＶミドルウェア２００２は、チャンネル特定手段（図示しない）、ＴＳデコード部２００５、解像度特定手段２００６、矩形変換判定部２０２０、画面解像度情報２００８、出力画像生成部２０２１、及び出力部２０１３から構成され、それぞれ以下の機能をもつ。
【００１７】
チャンネル特定手段は指定されたチャンネルのＴｒａｎｓｐｏｒｔＳｔｒｅａｍ（以下ＴＳ）を特定する。
ＴＳデコード部２００５は指定されたＴＳをデコードし、ＴＳに含まれるＡｕｄｉｏ／Ｖｉｄｅｏ情報（以下ＡＶ情報）、番組情報等のテーブル情報を取り出す。
解像度特定手段２００６は番組情報に含まれる複数の映像の中から選択された映像を特定し、再生する映像の解像度を取り出す。
【００１８】
矩形変換判定部２０２０は解像度選択手段２００７、低解像度矩形変換可否判定手段２００９、高解像度矩形変換可否判定手段２０１０で構成され、指定された矩形変換の可否を判定する。
このうち、解像度選択手段２００７は映像の表示位置、映像の解像度、映像表示領域の解像度を受け取り、その組合わせに対応した低解像度矩形変換可否判定手段２００９又は高解像度矩形変換可否判定手段２０１０を選択する。
また、低解像度矩形変換可否判定手段２００９は選択された映像が低解像度（以下ＳＤ）の場合の矩形変換の可否を映像の解像度、映像の表示位置、画面の解像度、プラットフォームの制限等から判定し、その可否を解像度選択手段２００７に通知する。
また、高解像度矩形変換可否判定手段２０１０は選択された映像が高解像度（以下ＨＤ）の場合の矩形変換の可否を映像の解像度、映像の表示位置、画面の解像度、プラットフォームの制限等から判定し、その可否を解像度選択手段２００７に通知する。
【００１９】
画面解像度情報２００８は選択された映像の解像度毎に実現可能な映像、及び、グラフィックの表示領域の解像度の組合わせを優先順位をつけて保持している。
出力画像生成部２０２１は映像表示手段２０１１とグラフィック描画手段２０１２によって構成される。
このうち、映像表示手段２０１１は選択された映像表示位置に、選択された映像をデコードし、出力する。
また、グラフィック描画手段２０１２は指定された表示位置にグラフィックを出力する。
出力部２０１３は映像表示手段２０１１、グラフィック描画手段２０１２からの出力を合成し、ＴＶ２０１４に出力する。
【００２０】
ＥＰＧアプリケーション２００３は、表示位置情報提供部２０２２、表示情報特定部２０１８、及びグラフィック描画指示手段２０１６から構成され、それぞれ以下の機能をもつ。
【００２１】
表示位置情報提供部２０２２は表示情報選択手段２０１５と表示位置情報２０１９によって構成される。
このうち、表示情報選択手段２０１５は映像の解像度と、映像の表示領域の解像度毎に映像と、グラフィックの表示位置の組合わせを保持しており、再生する映像に応じて映像と、グラフィックの表示位置を決定する。
また、表示位置情報２０１９は映像の解像度、映像表示領域の解像度に対応した映像、及びグラフィックの表示位置情報を保持している。
表示情報特定部２０１８は決定された映像、及びグラフィックの表示位置情報をグラフィック描画指示手段２０１６、映像表示手段２０１１に通知する。
グラフィック描画指示手段２０１６は表示するグラフィックの情報を特定する。
【００２２】
次に図３と図４を用いてアプリケーションが映像の表示位置を特定するための情報をデジタルＴＶ受信装置が提供し、アプリケーションが特定した表示位置が再生可能かどうかをデジタルＴＶが判定し、映像を出力するまでの処理を説明する。
【００２３】
チャンネル特定手段が視聴者によって選択された映像情報を含むＴＳを周波数等によって特定し（３００２）、ＴＳデコード部２００５がチャンネル特定手段によって特定されたＴＳをデコードし、デコードされたＴＳ内から選択された映像の識別子を検索することによって映像情報を取得し（３００３）、解像度特定手段２００６がデコードされたＴＳ内の選択された映像情報に解像度情報が含まれているか否かを解像度情報を含む識別子が選択された映像情報に含まれているか否かによって判定し（３００４）、解像度情報が含まれている場合は解像度情報から映像の解像度を取得する（３００５）。解像度情報が含まれていない場合はシステムの標準の値として定められた解像度又は、再生中の映像の解像度を映像の解像度として取得する（３００６）。
【００２４】
ＥＰＧアプリケーションの表示情報選択手段２０１５は解像度特定手段２００６から取得した映像の解像度に対応した映像と、グラフィックの表示位置を表示位置情報２０１９が保持している情報から映像の解像度、及び、映像を再生する際の映像表示領域の解像度に対応した映像、及びグラフィックの表示位置を取得することによって特定する（３００７）。
【００２５】
次に図５を用いて図４において特定した映像の表示位置の可否を判定し、ＴＶ画面に出力するまでの処理を説明する。
ＥＰＧアプリケーションの表示情報選択手段２０１５は３００７において特定した映像の解像度、映像表示領域の解像度、映像表示位置等から構成される映像表示条件を解像度選択手段２００７に通知する。解像度選択手段２００７は、表示情報選択手段２０１５から指定された映像表示条件がＳＤの映像を再生するものか、ＨＤの映像を再生するものかを、画面解像度情報２００８が持つ情報と、映像の解像度を比較することによって判定し、ＳＤの映像を再生するものであった場合、低解像度矩形変換可否判定手段２００９に、ＨＤの映像を再生するものであった場合、高解像度矩形変換可否判定手段２０１０に映像表示条件を通知する（３０１０）。
【００２６】
低解像度矩形変換可否判定手段２００９は映像表示条件がＨＤ／ＳＤの画面設定において表示可能かを映像の解像度と、映像の表示位置から映像の拡大・縮小率がＳＤ映像を再生するプラットフォームの制限値以内に収まっているか、指定された画面の解像度でＳＤの映像を表示することが出来るかなどの条件によって判定し、その結果を表示情報特定部（２０１８）に通知する（３０１１）。
高解像度矩形変換可否判定手段２０１０は映像表示条件がＨＤ／ＳＤの画面設定において表示可能かを映像の解像度と、映像の表示位置から映像の拡大・縮小率がＨＤ映像を再生するプラットフォームの制限値以内に収まっているか、指定された画面の解像度でＨＤの映像を表示することが出来るかなどの条件によって判定し、その結果を表示情報特定部（２０１８）に通知する（３０１２）。
【００２７】
指定された映像表示条件では映像の表示が不可能であった場合、ＥＰＧアプリケーションの表示情報特定部２０１８は解像度特定手段２００６から取得した映像の解像度に対応した別の表示情報を前回（３００７）と映像表示領域の解像度を変更する等して保持している情報から映像の解像度、及び、映像を再生する際の映像表示領域の解像度に対応した映像、及びグラフィックの表示位置を取得することによって特定し、再び解像度選択手段２００７に映像表示条件を指定する（３００７）。
表示可能であった場合、表示情報特定部２０１８は映像表示条件及び、選択された映像を特定するための映像識別子を映像表示手段２０１１に指定し（３０１３）、映像表示手段２０１１は指定された映像表示条件によって映像識別子によって特定される映像を出力部２０１３に対して出力する。
【００２８】
グラフィック描画指示手段２０１６は３０１３において特定された映像表示条件に対応したグラフィック表示条件をグラフィック描画手段２０１２に指定し、グラフィック描画手段２０１２は指定されたグラフィックの映像を描画し、出力部２０１３に出力する。
出力部２０１３は映像表示手段２０１１とグラフィック描画手段２０１２によって出力された映像、グラフィックを合成してＴＶ２０１４に出力する。
これによって、映像を再生する前に再生した結果の表示を正確に知ることが可能となり、アプリケーションが意図したものと異なる画面表示が行われることを防ぐことが出来る。
【００２９】
次に上記構成から成るデジタルＴＶ受信装置の本発明にかかわる動作を、送出される情報の例を交えながら具体的に説明する。
図６はＴＳに含まれている番組情報テーブル（ＰＭＴ）４００１の構成を表したものである。
番組情報テーブル４００１は、視聴者によって選択された放送番組をデジタルＴＶ受信装置２００１が再生するために必要な各種情報を定義しており、放送番組の構成要素に関する識別子も定義している。この番組情報テーブル４００１は、映像データ、音声データとともに、ＴＳ内にセクションデータとして入力される。
図６の番組情報テーブルは番組識別子４０１２によって特定され、２つの映像４００２、４００３と、１つの音声４００４を含む番組を表したものであり、映像Ａ、映像Ｂ、音声Ｃはそれぞれ、映像識別子４００５、映像識別子４００８、音声識別子４０１１によって特定される。映像Ａ４００２の解像度は映像Ａ情報４００２に含まれる映像解像度情報識別子４００６によって特定される映像解像度４００７によって７２０＊４８０であることが表されている。映像Ｂ４００３の解像度は映像Ｂ情報４００３に含まれる映像解像度情報識別子４００９によって特定される映像解像度４０１０によって１９２０＊１０８０であることが表されている。
【００３０】
図７はＥＰＧアプリケーションの表示情報選択手段２０１５が保持している表示位置情報２０１９を表したものである。
表示位置情報２０１９は、１つ以上の映像の解像度と、１つ以上の表示領域の解像度との組合わせごとに、０組以上の映像の切り出し位置、映像と、グラフィックの表示位置の組合わせを保持している。表示情報選択手段２０１５が映像、及び、グラフィックの表示位置を特定する際に、表示位置情報２０１９の表から映像解像度、及び、映像表示領域解像度によって特定する。
【００３１】
図７の表示位置情報２０１９は１９２０＊１０８０のＨＤの解像度を持つ映像を７２０＊４８０のＳＤの解像度を持つ映像表示領域に出力する場合の映像の切り出し位置は左上の点が（０，０）、切り出し位置の幅、高さが（１９２０，１０８０） （以下（０，０）−（１９２０，１０８０）と表記する）、投影領域は（２６６，２２５）−（１００，１００）、グラフィック表示位置は（２００，１００）−（１００，１００）であることを示している。
また、７２０＊４８０のＳＤの解像度を持つ映像を１９２０＊１０８０のＨＤの解像度を持つ映像表示領域に表示することは出来ないことを示している。
【００３２】
表示情報選択手段２０１５が７２０＊４８０の解像度を持つ映像を７２０＊４８０の解像度を持つ映像表示領域に表示するときの映像、グラフィックの表示位置を特定する場合、表示情報選択手段２０１５は再生する映像の解像度と図７の表の映像解像度４１０２と４１０３の中から、表示する映像と同じ解像度の表を探すことにより、４１０２の表を特定する。次に、表示する映像表示領域の解像度と一致する値を図７の表の最上段の行から検索することにより、４１０４の列を使用することを特定する。以上により、７２０＊４８０の解像度を持つ映像を７２０＊４８０の解像度を持つ映像表示領域に表示するときの映像の切り出し領域は（０，０）−（３６０，２４０）、投影領域は（１００，１００）−（１００，１００）であり、グラフィックの表示位置は（２００，１００）−（１００，１００）であることが特定される。
【００３３】
図８は画面解像度情報２００８が保持している情報を表したものである。
画面解像度情報２００８には１つ以上の映像解像度ごとに、表示可能な映像表示領域、及び、グラフィック表示領域の解像度との組合わせを保持している。デジタルＴＶ受信装置２００１は再生する映像の解像度に応じて、映像表示領域解像度と、グラフィック表示領域解像度の組合わせをこの値に基づいて変更する。
図８の画面解像度情報は７２０＊４８０のＳＤの解像度を持つ映像を再生する場合、最適な映像表示領域解像度とグラフィック表示領域解像度の組合わせは７２０＊４８０と７２０＊４８０というＳＤ再生用の組合わせであり、それが不可能な場合、１９２０＊１０８０と９６０＊５４０というＨＤ再生用の組合わせで再生を行うことも出来ることを示している。
【００３４】
図９は解像度選択手段２００７が保持している解像度設定情報４２０１を表したものである。
解像度設定情報４２０１は再生する映像の解像度４２０２，４２０３，４２０４ごとに映像のデコードされる設定がＳＤになるかＨＤになるかを表している。解像度選択手段２００７は指定された映像の解像度と一致する情報を解像度設定情報４２０１の表から検索することにより、指定された映像をデコードする際の設定がＳＤかＨＤかを特定することが出来る。
【００３５】
図１０は低解像度矩形変換可否判定手段２００９が保持している低解像度矩形変換条件４３０１を表したものである。
低解像度矩形変換条件４３０１は映像の水平、垂直方向への最小、最大の拡大率４３０２，４３０３，４３０４，４３０５、表示領域として映像表示領域の外を指定できるか否か４３０６、切り出し位置、表示位置として奇数座標を表示できるか否か４３０７、といった条件を保持している。
【００３６】
図１１は低解像度矩形変換可否判定手段２００９が図１０で示した低解像度矩形変換条件４３０１を用いてＳＤ設定でデコードされる映像の矩形変換の可否を判定する処理を表したフローチャートである。
低解像度矩形変換可否判定手段２００９は解像度選択手段２００７から映像の解像度、映像の表示条件、映像の表示領域解像度を指定され（４４０２）、画面解像度情報２００８から４４０２において指定された映像の解像度と一致する映像表示領域、グラフィック表示領域の解像度の組合わせを取得し、その中に４４０２において指定された映像の表示領域解像度と一致するものがあるかを判定し（４４０３）、低解像度矩形変換条件４３０１の保持する表示領域のはみ出し可否条件４３０６が不可でかつ、４４０２において指定された映像表示条件の映像表示位置が４４０３で取得した映像の表示領域解像度の中の領域を表しているか否かを判定し（４４０４）、４４０２において指定された映像の表示条件の映像表示位置の幅、高さをそれぞれ４４０２において指定された映像の解像度の幅、高さで割ることによって得られる映像の水平、垂直方向の拡大率が、低解像度矩形変換条件４３０１の保持する映像の水平、垂直方向への最小、最大の拡大率４３０２，４３０３，４３０４，４３０５の範囲に入っているかを判定し（４４０５）、低解像度矩形変換条件４３０１の保持する奇数座標指定可否条件４３０７が不可でかつ、４４０２において指定された映像表示条件の映像切り出し位置、表示位置が奇数座標を含むか否かを判定する（４４０６）。
以上の判定全てが可であった場合、低解像度矩形変換可否判定手段２００９は４４０２において指定された映像の解像度、映像の表示条件、映像の表示領域解像度による矩形変換が可能であると判定する（４４０７）。一つでも不可のものがあった場合には矩形変換不可能であると判定する（４４０８）。
【００３７】
図１２は高解像度矩形変換可否判定手段２０１０が保持している高解像度矩形変換条件４５０１を表したものである。
高解像度矩形変換条件４５０１は映像の水平、垂直方向への最小、最大の拡大率４５０２，４５０３，４５０４，４５０５、表示領域として映像表示領域の外を指定できるか否か４５０６、切り出し位置、表示位置として奇数座標を表示できるか否か４５０７、水平方向の切り出し領域の指定ができるか否か４５０８、垂直方向の切り出し領域の指定ができるか否か４５０９、といった条件を保持している。
【００３８】
図１３は高解像度矩形変換可否判定手段２０１０が図１２で示した高解像度矩形変換条件４５０１を用いてＨＤ設定でデコードされる映像の矩形変換の可否を判定する処理を表したフローチャートである。
高解像度矩形変換可否判定手段２０１０は解像度選択手段２００７から映像の解像度、映像の表示条件、映像の表示領域解像度を指定され（４６０２）、画面解像度情報２００８から４６０２において指定された映像の解像度と一致する映像表示領域、グラフィック表示領域の解像度の組合わせを取得し、その中に４６０２において指定された映像の表示領域解像度と一致するものがあるかを判定し（４６０３）、高解像度矩形変換条件４５０１の保持する表示領域のはみ出し可否条件４５０６が不可でかつ、４６０２において指定された映像表示条件の映像表示位置が４６０３で取得した映像の表示領域解像度の中の領域を表しているか否かを判定し（４６０４）、４６０２において指定された映像の表示条件の映像表示位置の幅、高さをそれぞれ４６０２において指定された映像の解像度の幅、高さで割ることによって得られる映像の水平、垂直方向の拡大率が、高解像度矩形変換条件４５０１の保持する映像の水平、垂直方向への最小、最大の拡大率４５０２，４５０３，４５０４，４５０５の範囲に入っているかを判定し（４６０５）、高解像度矩形変換条件４５０１の保持する奇数座標指定可否条件４５０７が不可でかつ、４６０２において指定された映像表示条件の映像切り出し位置、表示位置が奇数座標を含むか否かを判定する（４６０６）。
以上の判定全てが可であった場合、高解像度矩形変換可否判定手段２０１０は切り出し領域の判定を行う（４６０７）。一つでも不可のものがあった場合には矩形変換不可能であると判定する（４６０８）。
【００３９】
図１４は高解像度矩形変換可否判定手段２０１０が図１２で示した高解像度矩形変換条件４５０１の切り出し領域の指定の可否４５０８，４５０９を用いてＨＤ設定でデコードされる映像の矩形変換の可否を判定する処理を表したフローチャートである。
高解像度矩形変換可否判定手段２０１０は高解像度矩形変換条件４５０１の保持する水平方向の切り出し領域の指定４５０８が可または、図１３の４６０２において指定された映像表示条件の映像切り出し位置が４６０３で取得した映像解像度の水平方向全体と一致するか否かを判定し（４６０９）、高解像度矩形変換条件４５０１の保持する垂直方向の切り出し領域の指定４５０９が可または、図１３の４６０２において指定された映像表示条件の映像切り出し位置が４６０３で取得した映像解像度の垂直方向全体と一致するか否かを判定する（４６１０）。
以上の判定が全て可であった場合、高解像度矩形変換可否判定手段２０１０は４６０２において指定された映像の解像度、映像の表示条件、映像の表示領域解像度による矩形変換が可能であると判定し（４６１１）、一つでも不可のものがあった場合には矩形変換不可能であると判定する（４６０８）。
【００４０】
次に上記構成からなるデジタルＴＶ受信装置の本発明にかかわる動作についてのデジタルＴＶ受信機の動きを図１５から図１８を用いて説明する。
【００４１】
図１５はＴＳデコード部２００５がＴＳのデコードを行い、ＴＳから番組情報を取得して解像度特定手段２００６が視聴者によってチャンネル選択された放送番組の映像の解像度を取得するまでのデータの流れを示したものである。ここでは再生する番組として、識別子５００５（０ｘ１２３）、映像として識別子５００６（０ｘ１０）が指定されたものとして説明する。
ＴＳデコード部２００５は使用者によってチャンネル選択された放送番組を含むＴＳのデコードを行い、図６に示した番組情報テーブルを構築する。ＴＳデコード部２００５はデコードした番組情報テーブル５００２、５００３、５００４の中からチャンネル選択された番組識別子５００５（０ｘ１２３）と番組情報テーブルがもつ番組識別子が一致する番組情報４００１を特定し、その番組情報４００１の情報を解像度特定手段２００６に通知する。
解像度特定手段２００６はチャンネル選択された番組の映像識別子５００６（０ｘ１０）と一致する映像識別子をもつ映像情報を番組情報４００１の中から検索することにより、再生する映像情報４００２を特定する。次に解像度特定手段２００６は映像情報４００２の中から映像解像度情報識別子をもつ情報を検索することにより、映像情報４００２が表す映像の解像度情報４００７を特定する。
【００４２】
図１６は解像度特定手段２００６から取得した映像の解像度情報４００７と表示位置情報２０１９からＥＰＧアプリケーション２００３内の表示情報選択手段２０１５が、ビデオ、グラフィック等の表示位置を特定するまでのデータの流れを示したものである。
ＥＰＧアプリケーションの表示情報選択手段２０１５は現在の映像表示領域解像度５１０１を保持している。表示情報選択手段２０１５は解像度特定手段２００６が図１５において特定した映像の解像度情報４００７を取得する。次に、表示位置情報２０１９から解像度特定手段２００６から取得した映像の解像度情報４００７と一致する映像解像度をもつ表を検索することにより４１０２の表を特定する。次に、現在の映像表示領域解像度５１０１と一致する映像表示領域解像度を検索することにより、列４１０４を特定し、映像の表示位置４１０７が映像の切り出し領域は（０，０）−（３６０，２４０）、投影領域は（１００，１００）−（１００，１００）であり、グラフィックの表示位置４１０６が（２００，１００）−（１００，１００）であることを特定する。
【００４３】
図１７はＥＰＧアプリケーションの表示情報選択手段２０１５が矩形変換判定部２０２０の解像度選択手段２００７に映像表示位置４１０７を指定し、解像度選択手段２００７が解像度設定を判定し、高解像度矩形変換可否判定手段２０１０、又は、低解像度矩形変換可否判定手段２００９を用いて指定された映像表示位置４１０７の可否を判定するまでのデータの流れを示したものである。
【００４４】
ＥＰＧアプリケーションの表示情報選択手段２０１５は図１６において特定した映像表示位置情報４１０７と映像の解像度情報４００７と映像表示領域解像度５１０１を解像度選択手段２００７に指定する。解像度選択手段２００７は映像の解像度情報４００７がＳＤの解像度設定でデコードされる映像か、ＨＤの解像度設定でデコードされる映像かを図９の解像度設定情報４２０１の表から指定された映像の解像度４００７と一致する情報を検索することにより判定する。
ＳＤの解像度設定でデコードされる映像の場合は低解像度矩形変換可否判定手段２００９に映像表示位置情報４１０７と映像の解像度情報４００７と映像表示領域解像度５１０１を指定し、ＨＤの設定でデコードされる映像の場合は映像表示位置情報４１０７と映像の解像度情報４００７と映像表示領域解像度５１０１を高解像度矩形変換可否判定手段２０１０に指定する。
図１６に示した例では選択された映像４００２の解像度情報４００７の解像度は７２０＊４８０であり、図９に示した解像度設定情報４２０１の表では７２０＊４８０の解像度を示す情報４２０３はＳＤであることを示しているので、この映像はＳＤの設定でデコードされると判断する。
【００４５】
例えば図１６に示すように再生する映像の解像度が７２０＊４８０の低解像度であった場合、解像度選択手段２００７は低解像度矩形変換可否判定手段２００９に映像表示位置、映像の解像度、及び、映像表示領域解像度を指定する。このとき、低解像度矩形変換可否判定手段２００９はプラットフォームの映像拡大率の制限などから矩形変換の可否を判定する。図１６に示した例の場合、７２０＊４８０の映像を再生する際に、映像表示領域の解像度が７２０＊４８０と成ることが出来、映像の切り出し位置の解像度が３６０＊２４０であり、表示位置の解像度が１００＊１００なので、プラットフォームがＳＤ映像再生時に水平方向に１００／３６０倍、垂直方向に１００／２４０倍に縮小することが出来るならば、低解像度矩形変換可否手段２００９は指定された矩形変換が可能であると判定し、前記条件のいずれかが不可能であった場合、低解像度矩形変換可否判定手段２００９は指定された矩形変換が不可能と判定する。
低解像度矩形変換可否判定手段２００９は判定結果を解像度選択手段２００７を通して、表示情報特定部２０１８に通知する。表示情報特定部２０１８は指定した映像表示位置情報４１０７と映像の解像度情報４００７と映像表示領域解像度５１０１での映像表示が可能であった場合、映像表示手段２０１１に映像識別子４００５、映像表示位置情報４１０７、映像表示領域解像度５１０１を指定する。
【００４６】
図１８はＥＰＧアプリケーションの表示情報特定部２０１８がグラフィックの表示位置４１０６を特定し、グラフィック描画指示手段２０１６にグラフィック表示位置４１０６を指示し、グラフィック描画指示手段２０１６がグラフィック表示位置４１０６とグラフィック情報５３０１をグラフィック描画手段２０１２に指示するまでのデータの流れを示している。
表示情報特定部２０１８は図１７において特定したグラフィック表示位置４１０６をグラフィック描画指示手段２０１６に指定し、グラフィック描画指示手段２０１６は表示情報特定部２０１８から指定されたグラフィック表示位置４１０６と、保持している表示文字列情報５３０２、前景、背景色情報５３０３などから成るグラフィック情報５３０１をグラフィック描画手段２０１２に指定する。
【００４７】
図１９は映像表示手段２０１１とグラフィック表示手段２０１２がそれぞれ映像、グラフィックの表示情報を出力部２０１３に指定するまでのデータの流れを示している。
映像表示手段２０１１は表示情報特定部２０１８から指定された映像表示領域解像度５１０１を出力部２０１３に指定し、出力部２０１３は指定された映像表示領域解像度５１０１に対応するグラフィック表示領域解像度５１０２を画面解像度情報２００８の持つ情報の中から指定された映像表示領域解像度５１０１と一致する情報に含まれるグラフィック表示領域解像度を検索することによって特定する。
次に、映像表示手段２０１１は映像情報４００２の映像識別子４００５から特定される映像の画像データをＴＳデコード部２００５から取得し、画像データをデコードした後、映像表示領域解像度５１０１と映像表示位置情報４１０７によって指定される矩形変換処理を行うことによって映像出力画像５４０１を生成し、これを出力部２０１３に通知する。
グラフィック描画手段２０１２はグラフィック情報５３０１とグラフィック表示位置情報４１０６からグラフィック出力画像５４０２を生成し出力部２０１３に通知する。
出力部２０１３は映像出力画像５４０１とグラフィック出力画像５４０２を合成して、ＴＶ２０１４に映像、グラフィックの画像を出力する。
【００４８】
以上の構成により、ＥＰＧアプリケーションは指定した映像の表示条件における実際の表示結果を映像の再生前に知り、それに応じた映像の矩形変換の可否を映像を再生する前に確認することができるため、映像、及びグラフィックの表示位置がＥＰＧアプリケーションの意図したものと異なる位置に表示される問題を回避することができる。
【００４９】
但し、図１０に示した低解像度矩形変換条件４３０１、図１２に示した高解像度矩形変換条件４５０１に示した矩形変換条件はここに示したものよりも少ないことも、多いこともありうる。また、低解像度矩形変換条件４３０１と高解像度矩形変換条件４５０１は常に異なるものではなく、全く同一の条件であることもありうる。
また、図１７の解説で、解像度選択手段２００７は映像がＳＤ／ＨＤのどちらのモードでデコードされるかによって低解像度矩形変換可否判定手段２００９と高解像度矩形変換可否判定手段２０１０に分岐すると示したが、デコードのモードだけではなく、映像を表示する際の映像表示領域解像度がＳＤ／ＨＤのどちらのモードになるかによって低解像度矩形変換可否判定手段２００９と高解像度矩形変換可否判定手段２０１０に分岐する場合もありうる。
【産業上の利用可能性】
【００５０】
本発明にかかるデジタルＴＶ受信装置、デジタルＴＶ受信方法、及びデジタルＴＶ受信プログラムは、高解像度と低解像度の映像が混在した放送番組を受信し、再生する端末に適用できる。
【図面の簡単な説明】
【００５１】
【図１】従来のＳＤ／ＨＤの映像を再生する際の映像、グラフィック表示領域解像度の対応表。
【図２】従来のデジタルＴＶ受信装置において、アプリケーションが想定した映像の解像度と実際に再生する映像の解像度が異なる場合のＴＶ画面表示を表す図。
【図３】本発明の実施の形態１の機能ブロック図。
【図４】本発明の実施の形態（デジタルＴＶ受信装置）におけるＴＳを特定し、映像の解像度に合わせた映像の表示位置を特定する処理を表すフローチャート。
【図５】本発明の実施の形態（デジタルＴＶ受信装置）における映像の表示位置の可否を判定し、ＴＶ画面に出力するまでの処理を表すフローチャート。
【図６】本発明の実施の形態（デジタルＴＶ受信装置）におけるＴＳに含まれている番組情報テーブル（ＰＭＴ）４００１のテーブル構成図。
【図７】本発明の実施の形態（デジタルＴＶ受信装置）における表示情報選択手段２０１５が保持している表示位置情報２０１９の構成図。
【図８】本発明の実施の形態（デジタルＴＶ受信装置）における画面解像度情報２００８の構成図。
【図９】本発明の実施の形態（デジタルＴＶ受信装置）における解像度選択手段２００７が保持している解像度設定情報４２０１の構成図。
【図１０】本発明の実施の形態（デジタルＴＶ受信装置）における低解像度矩形変換可否判定手段２００９が保持している低解像度矩形変換条件４３０１の構成図。
【図１１】本発明の実施の形態（デジタルＴＶ受信装置）における低解像度矩形変換可否判定手段２００９の処理のフローチャート。
【図１２】本発明の実施の形態（デジタルＴＶ受信装置）における高解像度矩形変換可否判定手段２０１０が保持している高解像度矩形変換条件４５０１の構成図。
【図１３】本発明の実施の形態（デジタルＴＶ受信装置）における高解像度矩形変換可否判定手段２０１０の処理のフローチャート。
【図１４】本発明の実施の形態（デジタルＴＶ受信装置）における高解像度矩形変換可否判定手段２０１０の処理のフローチャート。
【図１５】本発明の実施の形態（デジタルＴＶ受信装置）における解像度を取得するまでのデータの流れを示した図。
【図１６】本発明の実施の形態（デジタルＴＶ受信装置）における表示情報選択手段２０１５が、表示位置を特定するまでのデータの流れを示した図。
【図１７】本発明の実施の形態（デジタルＴＶ受信装置）における選択された映像表示位置４１０７の可否を判定するまでのデータの流れを示した図。
【図１８】本発明の実施の形態（デジタルＴＶ受信装置）におけるグラフィック表示位置４１０６とグラフィック情報５３０１をグラフィック描画手段２０１２に指示するまでのデータの流れを示した図。
【図１９】本発明の実施の形態（デジタルＴＶ受信装置）における出力部２０１３がデジタルＴＶ受信機に画像を出力するまでのデータの流れを示した図。
【図２０】従来のデジタルＴＶ受信装置において、アプリケーションが、放送されたストリームの一部分を切り出し領域として指定し、ＴＶ画面の投影領域に表示する場合を表す図。
【符号の説明】
【００５２】
１００１  ＴＶ画面
１００３  ＳＤ映像
１００４  ＳＤ画面に表示されるグラフィック
１００５  ＨＤ映像
１００６  ＨＤ画面に表示されるグラフィック
１００７  ＳＤ映像の左上の点の座標
１００８  ＳＤ映像の右下の点の座標
１００９  ＳＤ画面に表示されるグラフィックの左上の点の座標
１０１０  ＳＤ画面に表示されるグラフィックの右下の点の座標
１０１１  ＨＤ映像の左上の点の座標
１０１２  ＨＤ映像の右下の点の座標
１０１３  ＨＤ画面に表示されるグラフィックの左上の点の座標
１０１４  ＨＤ画面に表示されるグラフィックの右下の点の座標
２００１  デジタルＴＶ受信装置
２００２  デジタルＴＶミドルウェア
２００３  ＥＰＧアプリケーション
２００５  ＴＳデコード部
２００６  解像度特定手段
２００７  解像度選択手段
２００８  画面解像度情報
２００９  低解像度矩形変換可否判定手段
２０１０  高解像度矩形変換可否判定手段
２０１１  映像表示手段
２０１２  グラフィック描画手段
２０１３  出力部
２０１４  ＴＶ画面
２０１５  表示情報選択手段
２０１６  グラフィック描画指示手段
２０１７  方送受信手段
２０１８  表示情報特定部
２０１９  表示位置情報
２０２０  矩形変換判定部
２０２１  出力画像生成部
２０２２  表示位置情報提供部
４００１  番組情報テーブル（ＰＭＴ）
４００２  映像Ａ情報
４００３  映像Ｂ情報
４００４  音声情報
４００５  映像Ａの識別子
４００６  映像Ａの映像解像度情報識別子
４００７  映像Ａの映像解像度
４００８  映像Ｂの識別子
４００９  映像Ｂの映像解像度情報識別子
４０１０  映像Ｂの映像解像度
４０１１  音声の識別子
４１０２  ＳＤ映像の表示位置情報
４１０３  ＨＤ映像の表示位置情報
４１０４  ＳＤ映像をＳＤ画面に表示する表示位置情報
４１０５  ＳＤ映像をＨＤ画面に表示する表示位置情報
４１０６  ＳＤ映像をＳＤ画面に表示するグラフィック表示位置
４２０１  解像度設定情報
４２０２  映像解像度（３６０＊２４０）
４２０３  映像解像度（７２０＊４８０）
４２０４  映像解像度（１９２０＊１０８０）
４３０１  低解像度矩形変換条件
４３０２  低解像度矩形変換の水平最小拡大率
４３０３  低解像度矩形変換の水平最大拡大率
４３０４  低解像度矩形変換の垂直最小拡大率
４３０５  低解像度矩形変換の垂直最大拡大率
４３０６  低解像度矩形変換の表示領域のはみ出し可否
４３０７  低解像度矩形変換の奇数座標指定可否
４５０１  高解像度矩形変換条件
４５０２  高解像度矩形変換の水平最小拡大率
４５０３  高解像度矩形変換の水平最大拡大率
４５０４  高解像度矩形変換の垂直最小拡大率
４５０５  高解像度矩形変換の垂直最大拡大率
４５０６  高解像度矩形変換の表示領域のはみ出し可否
４５０７  高解像度矩形変換の奇数座標指定可否
４５０８  高解像度矩形変換の水平方向切り出し可否
４５０９  高解像度矩形変換の垂直方向切り出し可否
５００１  選択されたチャンネル情報
５００２  番組情報（番組１）
５００３  番組情報（番組２）
５００４  番組情報（番組３）
５００５  選択された番組識別子
５００６  選択された映像識別子
５１０１  映像表示領域解像度
５３０１  グラフィック情報
５３０２  表示文字列情報
５３０３  前景、背景色情報
５４０１  映像出力画像
５４０２  グラフィック出力画像
【図１】
2006033253.tif 000003
【図２】
2006033253.tif 000004
【図３】
2006033253.tif 000005
【図４】
2006033253.tif 000006
【図５】
2006033253.tif 000007
【図６】
2006033253.tif 000008
【図７】
2006033253.tif 000009
【図８】
2006033253.tif 000010
【図９】
2006033253.tif 000011
【図１０】
2006033253.tif 000012
【図１１】
2006033253.tif 000013
【図１２】
2006033253.tif 000014
【図１３】
2006033253.tif 000015
【図１４】
2006033253.tif 000016
【図１５】
2006033253.tif 000017
【図１６】
2006033253.tif 000018
【図１７】
2006033253.tif 000019
【図１８】
2006033253.tif 000020
【図１９】
2006033253.tif 000021
【図２０】
2006033253.tif 000022